(57)【要約】【課題】大量に取得するアンケート回答の中から、有用な情報が記載されているものを適切に抽出する。【解決手段】アンケート回答者の回答者端末及びアンケートの分析を行う担当者の担当者端末に通信ネットワークを介して接続されるアンケート処理サーバ。回答者端末から受信したアンケート回答の処理に用いられる規則が定められている処理テーブルを記録する処理情報記録手段、処理テーブルに定められている、アンケートの各項目についての配点に基づいて前記アンケート回答の評価点を算出する評価点算出手段、アンケート回答における回答記入事項のフォントの色及び／又はアンケート回答を特定する文書名のフォントの色を、処理テーブルに定められている評価点の合計点に対応している色に色分けするフォント色分け手段を備えている。【選択図】図１
2008305210.tif 000002
【特許請求の範囲】
【請求項１】
アンケート回答者の回答者端末及びアンケートの分析を行う担当者の担当者端末とに通信ネットワークを介して接続されるアンケート処理サーバであって、
前記回答者端末及び担当者端末と前記通信ネットワークを介して情報を送受信する送受信手段と、
前記回答者端末から受信したアンケート回答の処理に用いられる規則が定められている処理テーブルを記録する処理情報記録手段と、
前記処理テーブルに定められている、アンケートの各項目についての配点に基づいて前記アンケート回答の評価点を算出する評価点算出手段と、
前記アンケート回答における回答記入事項のフォントの色及び／又は前記アンケート回答を特定する文書名のフォントの色を、前記処理テーブルに定められている、前記評価点の合計点に対応している色に色分けするフォント色分け手段と、
前記フォント色分け手段によるフォント色分け後のアンケート結果情報を前記担当者端末に送信する配信手段と、
を備えていることを特徴とするアンケート処理サーバ。
【請求項２】
前記担当者端末から送信されたアンケート分析情報を受信して、アンケート編集一覧を作成する編集手段と、前記アンケート編集一覧を記録するアンケート編集一覧記録手段と、を更に備えていることを特徴とする請求項１記載のアンケート処理サーバ。
【請求項３】
アンケート回答者が記入回答したアンケート回答を送信する回答者端末と、該回答者端末から送信されるアンケート回答を受信し処理するアンケート処理サーバと、該アンケート処理サーバで処理されたアンケート結果情報を分析する担当者の担当者端末とが通信ネットワークを介して接続されるアンケート処理システムであって、
前記アンケート処理サーバは、請求項１又は２記載のアンケート処理サーバであることを特徴とするアンケート処理システム。
【発明の詳細な説明】
【技術分野】
【０００１】
本発明は、各種アンケートの評価処理を通信ネットワークを介して行うアンケート処理サーバ及びアンケート処理システムに関する。
【背景技術】
【０００２】
従来、商品やサービスなどについての意見、要望等を集約することを目的とする各種アンケートは、顧客に直接対面や、電話などで回答を聴取したり、書面記載したものを郵送等で配布し、回収することで行っていた。また社内、組織内での商品開発や、考査等における意見、感想、要望の集約を目的とするアンケートに際しても前記同様、直接聴取したり、書面提出による形態が採用されていた。
【０００３】
このため、アンケートの量が膨大になるときは、その収集、分析、処理に甚大な時間と手間を要することになり、アンケート結果を十分に分析し、分析結果を十分に生かすことが難しいという問題があった。
【０００４】
そこで、コンピュータ及び通信技術の進歩発展により、上述したようなアンケートの処理についてもこれらの技術を用いて収集、分析することで上述した問題を解決する試みがなされている。例えば、インターネットを利用した顧客からのアンケート収集と、この収集したアンケートを分析評価してイントラネットで企業内各部門からの閲覧を可能とする評価システムが提案されている（例えば、特許文献１参照。）。
【特許文献１】特開２００１−２５６３３８号公報
【発明の開示】
【発明が解決しようとする課題】
【０００５】
上記特許文献１に記載の技術によれば、アンケート結果を電子メールにより取得するので、コンピュータによる分析が容易となり、また分析結果をイントラネットにより社内の所定の部門から閲覧できるのでアンケート結果を業務に反映することが容易になる、とされている。
【０００６】
しかしながら、上記分析結果も択一選択形式のアンケートのみであれば、コンピュータによる分析に適しているといえるが、文章入力による意見、感想、要望等の集約については有効な分析が行えず、人手を介しての分析によっても有用な情報が大量に送信されたアンケートの中に埋もれてしまい、見落としされてしまうおそれがある。
【０００７】
本発明は、大量に集約されるアンケート回答の中から、有用な情報を記載したものや、適切な対応などを行うために注意を払うことが望ましいと思われるものなどを適切に、かつ効率よく抽出することに適した技術を提供することを目的にしている。
【課題を解決するための手段】
【０００８】
前記目的を達成するために本発明は、アンケート回答者の回答者端末及びアンケートの分析を行う担当者の担当者端末とに通信ネットワークを介して接続されるアンケート処理サーバであって、前記回答者端末及び担当者端末と前記通信ネットワークを介して情報を送受信する送受信手段と、前記回答者端末から受信したアンケート回答の処理に用いられる規則が定められている処理テーブルを記録する処理情報記録手段と、前記処理テーブルに定められている、アンケートの各項目についての配点に基づいて前記アンケート回答の評価点を算出する評価点算出手段と、前記アンケート回答における回答記入事項のフォントの色、又は、前記アンケート回答を特定する文書名のフォントの色、若しくはこれらの双方を、前記処理テーブルに定められている、前記評価点の合計点に対応している色に色分けするフォント色分け手段と、前記フォント色分け手段によるフォント色分け後のアンケート結果情報を前記担当者端末に送信する配信手段とを備えていることを特徴とするアンケート処理サーバを提案するものである。
【０００９】
本発明のアンケート処理サーバによれば、アンケート回答の処理に用いられる規則が定められている処理テーブルがあらかじめ準備されていると共に、当該処理テーブルに定められているアンケートの各項目についての配点に基づいてアンケート回答の評価点が算出され、アンケート回答における回答記入事項のフォントの色及び／又は前記アンケート回答を特定する文書名のフォントの色が、前記処理テーブルに定められている前記評価点の合計点に対応している色にする処理が行なわれる。
【００１０】
前記において「アンケート回答を特定する文書名」には、例えば、アンケート回答を整理するために、各アンケート回答に対してアンケート処理サーバで付与される整理番号のような文書名や、アンケート処理サーバが回答者端末から取得しているアンケート回答を担当者端末が入手する際、各アンケート回答を特定するためにアンケート処理サーバが付与する文書名、例えば、電子メール手段によって担当者端末がアンケート処理サーバからアンケート回答を入手する際、アンケート処理サーバが当該アンケート回答を送信する電子メールに付与する文書名などが該当する。
【００１１】
本発明のアンケート処理サーバによれば、アンケート回答に対する評価点に応じて、アンケート回答における回答記入事項のフォントの色が色分けされる。
【００１２】
または、アンケート回答を整理するために、各アンケート回答に対してアンケート処理サーバで付与される整理番号のような文書名のフォントの色や、アンケート処理サーバがアンケート回答を担当者端末へメール送信する電子メールに付与する文書名のフォントの色が、アンケート回答に対する評価点に応じて色分けされる。
【００１３】
若しくは、アンケート回答における回答記入事項のフォントの色及び、前記整理番号のフォントの色や、前記電子メールに付与する文書名のフォントの色が、アンケート回答に対する評価点に応じて色分けされる。
【００１４】
そこで、アンケートの分析を行う担当者は、集約されたアンケート回答の中から、有用な情報を記載したものや、適切な対応などを行うために注意を払うことが望ましいと思われるものなどを適切に、かつ効率よく抽出し、有用な情報を含んでいるアンケート回答が大量のアンケート回答の中に埋没することを防止できる。
【００１５】
また、アンケート分析に際して、所定の評価点のもの、例えば、評価点の低いものや、評価点の高いものなどを集中的に分析する等して、分析の能率を図ることもできる。
【００１６】
この評価点は予め処理テーブルに配点が記載されているので、アンケート処理サーバが自動計算し、評価の合計点に応じてアンケート回答における回答記入事項のフォントの色及び／又は前記アンケート回答を特定する文書名のフォントの色が自動的に変更される。
【００１７】
前述した本発明のアンケート処理サーバは、更に、前記担当者端末から送信されたアンケート分析情報を受信して、アンケート編集一覧を作成する編集手段と、前記アンケート編集一覧を記録するアンケート編集一覧記録手段と、を更に備えている形態にすることができる。
【００１８】
アンケート分析を行う担当者によって分析されたアンケート分析情報をアンケート処理サーバが受信して、分析情報をも含んだアンケート編集一覧として記録することにより、利用価値の高い有効なアンケート情報が作成されることになる。
【００１９】
このようにアンケート編集一覧記録手段に前記アンケート編集一覧が記録されている状態でも、フォント色分け手段によって、前記アンケート回答における回答記入事項のフォントの色及び／又は前記アンケート回答を特定する文書名のフォントの色は、前記処理テーブルに定められている前記評価点の合計点に対応している色に色分けされているので、担当者端末から送信されたアンケート分析情報に関しても、有用な情報が記載されているアンケート回答や、適切な対応などを行うために注意を払うことが望ましいと思われるアンケート回答、有用な情報を含んでいるアンケート回答を有効に活用することができる。
【００２０】
次に、前記目的を達成するために本発明は、アンケート回答者が記入回答したアンケート回答を送信する回答者端末と、該回答者端末から送信されるアンケート回答を受信し処理するアンケート処理サーバと、該アンケート処理サーバで処理されたアンケート結果情報を分析する担当者の担当者端末とが通信ネットワークを介して接続されるアンケート処理システムであって、前記アンケート処理サーバが、前述した本発明のいずれかのアンケート処理サーバからなるアンケート処理システムを提案するものである。
【００２１】
アンケート回答者が記入回答したアンケート回答を送信する回答者端末と、アンケート処理サーバで処理したアンケート結果情報を分析する担当者の担当者端末とを、通信ネットワークを介してアンケート処理サーバに接続すると共に、アンケート処理サーバとして前述した本発明のいずれかのアンケート処理サーバを採用することにより、通信ネットワークを介して広範囲に、効率的にアンケートを行い、大量に集約されるアンケート回答の中から、有用な情報を記載したものや、適切な対応などを行うために注意を払うことが望ましいと思われるものなどを適切に、かつ効率よく抽出し、分析し、これを、通信ネットワークを介して、閲覧希望する者が効率よく閲覧、参照、等することができる。
【００２２】
ここで、前記通信ネットワークは、インターネット又はイントラネットとすることができる。これらはＴＣＰ／ＩＰの通信プロトコルを適用したネットワークであり、同じ使い勝手、同じソフトウェアの同じ使用法でネットワークが利用できるので、社内間でのネットワーク利用によるアンケートや社内考査等の送受信、さらには広くインターネットを介しての顧客からのアンケート聴取等にも利用することができる。
【発明の効果】
【００２３】
本発明によれば、大量に集約されるアンケートに対する回答の中から、有用な情報を記載したものや、適切な対応などを行うために注意を払うことが望ましいと思われるものなどを適切に、かつ効率よく抽出することに適したアンケート処理システムを提供することができる。
【００２４】
すなわち、本発明によれば、アンケートの評価の合計点に応じて、前記アンケート回答における回答記入事項のフォントの色、又は、前記アンケート回答を特定する文書名のフォントの色、若しくはこれらの双方を変更し、有用な情報を記載したアンケート回答や、適切な対応などを行うために注意を払うことが望ましいと思われるアンケート回答を、埋没させることなく、適切に、かつ効率よく抽出することに適したアンケート処理システムを提供することができる。
【発明を実施するための最良の形態】
【００２５】
以下、添付図面を参照して本発明の好ましい実施形態を説明する。
【００２６】
本発明のアンケート処理システムは、その概略構成の一例を説明している図１図示のように、受信したアンケート回答の処理を行うアンケート処理サーバ１と、アンケートに記入回答してアンケート処理サーバ１に送信する回答者端末２と、アンケート処理サーバ１で処理されたアンケート結果情報を受信してアンケート回答の分析を行う担当者端末３とを備えている。
【００２７】
図１図示の実施形態では、アンケート処理サーバ１と、回答者端末２及び担当者端末３とはイントラネット５を介して接続されている。
【００２８】
なお、図１図示の実施形態では、社内における考査などに対するアンケートの処理、分析を行う例として、イントラネット５により接続しているが、これに限定するものでなく、インターネットを介して顧客等からアンケート回答を得て、処理する形態にすることもできる。
【００２９】
また、顧客からインターネットを介してアンケート回答を受信し、このアンケート回答を処理してイントラネットを介して分析担当の担当者端末３に送信する形態にすることもできる。
【００３０】
インターネット及びイントラネットはいずれもＴＣＰ／ＩＰの通信プロトコルを利用しているので、同一のブラウザ等を使用することができ、併用が容易である。
【００３１】
図１図示の実施形態では、アンケート処理サーバ１は、送受信手段１１、処理情報記録手段１２、評価点算出手段１３、フォント色分け手段１５、配信手段１６、制御手段１７、編集手段１８、アンケート編集一覧記録手段１９、アンケート記録手段２０を備えている。
【００３２】
送受信手段１１は、回答者端末２及び担当者端末３とイントラネット５を介して情報を送受信するものである。
【００３３】
処理情報記録手段１２は、回答者端末２から受信したアンケート回答の処理に用いられる規則が定められている処理テーブルを記録している。
【００３４】
評価点算出手段１３は、前記の処理テーブルに定められているアンケートの各項目についての配点に基づいて前記アンケート回答の評価点を算出する処理を行う。
【００３５】
フォント色分け手段１５は、前記アンケート回答における回答記入事項のフォントの色を、前記処理テーブルに定められている前記評価点の合計点に対応している色にする処理を行う。
【００３６】
配信手段１６は、フォント色分け手段１５によるフォント色分け後のアンケート結果情報を担当者端末３に送信するものである。
【００３７】
編集手段１８は、担当者端末３から送信されたアンケート分析情報を受信して、アンケート編集一覧を作成する処理を行う。
【００３８】
アンケート編集一覧記録手段１９は、アンケート編集一覧を記録する処理を行う。
【００３９】
アンケート記録手段２０は、回答者端末２にアンケート入力画面を表示するためのアンケート情報、アンケート回答されたアンケート回答情報、評価点算出手段１３によって算出されたアンケート回答の評価点、フォント色分け手段１５によるフォント色分け後のアンケート結果情報などを記録している。
【００４０】
そして、制御手段１７が前記の各手段を制御している。
【００４１】
アンケート処理サーバ１は、専用機を使用してもよいが、汎用機であるワークステーションやパーソナルコンピュータにモデム等の通信機器等を組合わせて構成することもできる。
【００４２】
この場合、処理情報記録手段１２、アンケート編集一覧記録手段１９、アンケート記録手段２０には、アンケート処理サーバ１に組み込まれたハードディスクが相当する。ただし、他の外部記憶装置、例えば、各種の光ディスク等を用いることもできる。
【００４３】
送受信手段１１、配信手段１６には、モデム等の通信機器が該当し、回答者端末２との間ではアンケート入力画面情報の送信、記入回答されたアンケート回答の受信、そして担当者端末３との間では、配信手段１６によるフォント色分け後のアンケート結果情報を担当者端末３に送信、送受信手段１１による分析担当者の分析評価を受けて担当者端末３から送信されてきたアンケート分析情報の受信が行われる。
【００４４】
評価点算出手段１３、フォント色分け手段１５、制御手段１７及び編集手段１８は、ハードウェアの構成としてはＣＰＵ及びＲＡＭ等が該当し、これらのハードウェア構成を所定のプログラムにより作動させることで、前述したこれら各手段の機能が実行される。
【００４５】
回答者端末２及び担当者端末３は、汎用機のパーソナルコンピュータを採用することができるが、その他、ＰＤＡ等の携帯端末であってもよく、要はＴＣＰ／ＩＰの通信プロトコルによる通信ネットワークによる情報の送受信が可能であればよい。
【００４６】
次に、アンケート処理サーバ１及びこのアンケート処理サーバ１を備えたアンケート処理システムの動作の一例について、図２を参照して説明する。
【００４７】
まず、回答者端末２では、アンケートの入力ページを開く（Ｓ１）。
【００４８】
入力用のアンケートはアンケート処理サーバ１のアンケート記録手段２０に記録保存されている。回答者端末２からの要求により、制御手段１７はアンケート記録手段２０から入力用アンケート画面情報を抽出し、送受信手段１１からイントラネット５を介して回答者端末２に送信する。
【００４９】
アンケート回答者は回答者端末２の画面に表示されたアンケート入力画面に、所属部門等、氏名を入力後、選択項目の段階的な回答欄より選択回答し、さらに記入事項については意見等を文章入力し、送信ボタンをクリックしてアンケート処理サーバ１に送信する（Ｓ２）。
【００５０】
図３は、アンケートの入力画面の一例を表示した図である。図示の実施形態では、アンケートは社内各部門における考査に対するアンケートになっている。アンケート入力画面は、図示のように、所属、氏名（匿名可）の書誌的事項の入力欄、選択回答式の質問事項に対する段階的な回答欄、回答者の意見等の文章入力欄を備え、最下段に送信ボタンが配備されている。
【００５１】
図示の実施形態では、選択回答式の質問は、（１）〜（５）までの５問で、それぞれ回答が５段階（Ａ〜Ｅまで）あり、回答者は回答欄のボタンを選択する。文章入力欄は、今回の考査についての意見、問題点等を文章入力するもので、画一的でない個人個人の意見を聴取できるようになっている。
【００５２】
記入回答後のアンケート回答を受信したアンケート処理サーバ１では、評価点算出手段１３がアンケートの選択回答欄についての評価点とその合計点を算出する（Ｓ３）。
【００５３】
図４は、アンケート回答の処理に用いられる規則が定められている処理テーブルの一覧の一例を表す図である。アンケートの各項目についての配点及び、評価点算出手段１３によって算出されたアンケート回答の評価点の合計点に対応しているフォントの色などに関する情報がこの処理テーブルで定められている。
【００５４】
図２、図３、図４図示の例では、選択式回答質問（１）〜（５）の回答５段階（Ａ〜Ｅまで）について、それぞれ配点が図４のように定められている。この処理テーブルに定められている、アンケートの各項目についての配点に基づいて、評価点算出手段１３がアンケートの評価点とその合計点を自動的に算出する。
【００５５】
そして、フォント色分け手段１５が、アンケート回答における回答記入事項のフォントの色、例えば、アンケートの入力文章（図３の２．の入力欄に記載の入力文章）のフォントの色を、評価点算出手段１３が算出したアンケートの評価点、その合計点を参照して、処理テーブルに定められている評価点の合計点に対応している色に変更する（Ｓ４）。
【００５６】
例えば、評価の合計点が１５点であれば、図４の着色基準によりフォントの色を赤色に変える、等、算出された評価点の合計に対応して定められた入力文章のフォント色を色分けする。図４図示の実施形態では、フォントの色を４色としているが、細分化してより多くの色に分けることも可能である。
【００５７】
図示の実施形態での処理テーブル上の配点は、問題点、改善点のある回答ほど低い点となるように配点しており、その結果、入力文章にも特に問題点や改善点を指摘した有用なものが多いと考えられるので、これを赤色にすることで大量の数の回答に埋もれることなく考査担当者の注意を喚起するようになっている。そこで、合計点の高いものは特に問題点が少ないものとして通常使用される黒色にすることにしている。
【００５８】
なお、回答者端末２からアンケート処理サーバ１に送信されるときのアンケート回答入力文章のフォントの色を基本的に黒色にしておき、評価点算出手段１３で算出したアンケートの評価点の合計点が６１以上であれば、図４図示のように、フォントの色は黒色のまま変更せず、評価点の合計点が６０以下の場合に、図４図示の処理テーブルに定められている評価点の合計点に対応している色に変更する。
【００５９】
アンケート回答における回答記入事項のフォントの色、例えば、アンケートの入力文章（図３の２．の入力欄に記載の入力文章）のフォントの色が、処理テーブルに定められている色にされたアンケート回答結果は、アンケート記録手段２０に記録保存されると共に、分析判断の対象として考査担当者の担当者端末３に送信される（Ｓ５）。
【００６０】
なお、アンケート回答結果をアンケート記録手段２０に記録保存する際に、アンケート回答を整理すべく、各アンケート回答に対してアンケート処理サーバ１で整理番号を付与するようにし、この整理番号のフォントの色を、フォント色分け手段１５が行う処理動作により、前記評価点の合計点に対応している色に変更しておくこともできる。
【００６１】
また、考査担当者の担当者端末３にアンケート回答結果を送信する際に、各アンケート回答を特定するべくアンケート処理サーバ１から文書名を付与することとし、例えば、電子メール手段によってアンケート処理サーバ１から担当者端末３にアンケート回答をメール送信することとして、文書名を当該電子メールに付与し、この文書名のフォントの色、すなわち、電子メールの文書名のフォントの色を、フォント色分け手段１５が行う処理動作により、前記評価点の合計点に対応している色に変更することもできる。
【００６２】
考査担当者は、アンケート回答に入力文章として記入された事項の内容を分析判断してアンケートの担当者評価を行う（Ｓ６）。例えば、的確性、専門性、有益性についての段階的評価、対応の要否、評価の具体的内容の記入、等の担当者評価を行う。
【００６３】
この際、前述したように、アンケートの入力文章（図３の２．の入力欄に記載の入力文章）のフォントの色、又は、担当者端末３にアンケート処理サーバ１から送信されてくる各アンケート回答を特定する文書名（たとえば、電子メールの文書名）のフォントの色、若しくは、これらの双方のフォントの色が、フォント色分け手段１５により、評価点算出手段１３が算出したアンケートの評価点、その合計点に応じて、処理テーブルに定められている評価点の合計点に対応する色に変更されている。
【００６４】
そこで、アンケートの分析を行う担当者は、このように色が変更されていることを参考にして、集約されたアンケート回答の中から、有用な情報を記載したものや、適切な対応などを行うために注意を払うことが望ましいと思われるものなどを適切に、かつ効率よく抽出することができる。
【００６５】
そして、アンケートの分析を行う担当者が行ったアンケート評価は、所定の形式により担当者端末３からアンケート処理サーバ１に送信される（Ｓ７）。
【００６６】
担当者評価を受信したアンケート処理サーバ１では、編集手段１８が受信した担当者評価とアンケート記録手段２０に記録された処理後のアンケート回答結果に基づき、アンケート編集の一覧を作成する（Ｓ８）。
【００６７】
図５は、アンケート編集の一覧を記載した図の一例である。
【００６８】
図５図示の例では、アンケート回答の評価点の合計点と、フォントの色を処理テーブル記載の色に変更したアンケート記入事項と、担当者評価である的確性、専門性、有益性とこれらの合計点と、そして対応の要否と、担当者の評価内容等とが、各回答者のアンケートごとに列挙して記載されている。
【００６９】
上記したようにこのアンケート編集一覧においても、アンケート回答者の文章入力のフォントの色が、アンケート評価の合計点に応じた色になっているので、有用なアンケート内容の見落としを防止することができる。
【００７０】
なおこのアンケート編集一覧は、アンケート編集一覧記録手段１９に記録保存され、あらたなアンケート回答があり、担当者評価されるごとに追加記入されるようになっている。
【００７１】
そして考査担当者は担当者端末３からイントラネットを介して、アンケート処理サーバ１のアンケート編集一覧記録手段１９よりアンケート編集一覧を閲覧することが可能であり、業務改善の資料として利用することができる。
【００７２】
このように本発明のシステムによれば、受信したアンケート回答の選択式回答から評価をし、評価の合計点に応じて、アンケート回答における回答記入事項のフォントの色、又は、アンケート回答を特定する文書名のフォントの色、若しくはこれらの双方を色分けするので、評価点に応じた有用な文章入力情報を選別でき、担当者等の見落としを防止することができる。
【００７３】
また、色分けしたアンケート回答に担当者による担当者評価をも記載したアンケート評価一覧を作成することで、より業務の改善の資料としての利用に貢献することができる。
【００７４】
なお上記の実施形態では、社内考査のアンケートを対象としたが、社内の商品開発アンケートや、インターネットを使用した顧客からのアンケートとその処理、分析、反映にも本実施形態のアンケート処理サーバ装置、アンケート処理システムが利用できる。
【００７５】
また通信プロトコルが共通であることからイントラネット、インターネットのいずれをも通信ネットワークとして使用でき、さらに両者の併用も可能である。
【図面の簡単な説明】
【００７６】
【図１】本発明のアンケート処理サーバ及びアンケート処理システムの概略構成の一例を説明する図。
【図２】本発明のアンケート処理サーバ及びアンケート処理システムの動作の一例を示す流れ図。
【図３】アンケートの入力画面の一例を表す図。
【図４】アンケート処理の規則を定めた処理テーブルの一例を表す図。
【図５】編集手段により編集処理されたアンケート編集一覧の一例を表す図。
【符号の説明】
【００７７】
１  アンケート処理サーバ
２  回答者端末
３  担当者端末
１１  送受信手段
１２  処理情報記録手段
１３  評価点算出手段
１５  フォント色分け手段
１６  配信手段
１７  制御手段
１８  編集手段
【図１】
2008305210.tif 000003
【図２】
2008305210.tif 000004
【図３】
2008305210.tif 000005
【図４】
2008305210.tif 000006
【図５】
2008305210.tif 000007